(57)【要約】      （修正有）【課題】コンパクトディスクをファイルノートを用いて保管する場合とそうでない場合との両方に対応して便利に使用できるコンパクトディスク収納体を提供する。【解決手段】袋状のコンパクトディスク収納部２の側位置に、ファイル用係止穴１０が設けられた係止部１２が切り離し可能に設けられてなるコンパクトディスク収納体１。【選択図】図１
0003166029.tif 000002
【実用新案登録請求の範囲】
【請求項１】
袋状のコンパクトディスク収納部の側位置に、ファイル用係止穴が設けられた係止部が切り離し可能に設けられてなることを特徴とするコンパクトディスク収納体。
【請求項２】
前記コンパクトディスク収納部のコンパクトディスクの出し入れ開口位置に、蓋片が切り離し可能に設けられてなることを特徴とする請求項１記載のコンパクトディスク収納体。
【請求項３】
全体が１枚の所定形態の紙基材により形成される請求項１または２記載のコンパクトディスク収納体。
【請求項４】
前記コンパクトディスク収納部の表面部に透明フィルムの貼られた窓孔を備える請求項３記載のコンパクトディスク収納体。
【考案の詳細な説明】
【技術分野】
【０００１】  この考案は、コンパクトディスク収納体に関する。
【背景技術】
【０００２】  音楽等が記録されるコンパクトディスクは、その記録面が損傷しないように袋状の収納体に納められて持ち運びされ、また、保管される。その保管に際しては、多数のものをまとめて保管できるように最近ではファイルノートを使用することがあり、その場合には収納体として側位置にファイル用係止穴が設けられた係止部を備えるものが使用されている。
【考案の概要】
【考案が解決しようとする課題】
【０００３】  しかしながら、そのような係止部が設けられた収納体の場合、ファイルノートに保管しない場合にはその係止部が無駄となって見栄えも悪くなってしまう。【０００４】  この考案では、コンパクトディスクをファイルノートを用いて保管する場合とそうでない場合との両方に対応して便利に使用できるコンパクトディスク収納体を提供することを目的とする。
【課題を解決するための手段】
【０００５】  この考案では、袋状のコンパクトディスク収納部の側位置に、ファイル用係止穴が設けられた係止部が切り離し可能に設けられてなることを特徴とするコンパクトディスク収納体を提供する。【０００６】  上記構成によれば、ファイルノートに納めない場合はファイル用係止穴が設けられた係止部が切り離して使用できる。さらに、コンパクトディスク収納部のコンパクトディスクの出し入れ開口位置に蓋片が切り離し可能に設けられてなる構成とすることで、必要としない場合はその蓋片を切り離して使用できる。このようにしてファイルノートへの係止部と蓋片とを必要な場合にのみ使用できることで、それらが邪魔となることがなく、また、見栄えも良い状態で使用できる。【０００７】  コンパクトディスク収納体は適宜の材料により適宜の方法により制作できるが、全体が１枚の所定形態の紙基材により形成されることでその制作が容易に、かつ、安価に行える。とくに、紙基材により形成された場合、ファイルノートへの係止部と蓋片との切り離しが切り取り線を設けることでそれに沿って容易に行える。その際、コンパクトディスク収納部の表面部に透明フィルムの貼られた窓孔を備える構成とすることでその窓孔を通して収納されるコンパクトディスクに記載される情報を見ることができ、かつ、窓孔があることで意匠性も向上される。くわえて、透明フィルムにより窓孔の周縁部が補強されてその部分の破損が回避される。
【考案の効果】
【０００８】  この考案によれば、コンパクトディスクをファイルノートを用いて保管する場合とそうでない場合との両方に対応して便利に使用できるコンパクトディスク収納体が得られる。
【図面の簡単な説明】
【０００９】
【図１】  この考案のコンパクトディスク収納体の実施形態の正面図
【図２】  この考案のコンパクトディスク収納体の実施形態の背面図
【図３】  この考案のコンパクトディスク収納体の実施形態の内面側展開図
【考案を実施するための形態】
【００１０】  図１はコンパクトディスク収納体の実施形態の正面図、図２は同背面図である。コンパクトディスク収納体１は全体が紙製で、コンパクトディスク収納部２は正面形態を収納するコンパクトディスクの大きさに対応する正方形としている。コンパクトディスク収納部２は上部にコンパクトディスクの出し入れ開口３を備え、その出し入れ開口３位置の前縁には蓋片４が一体に備えられ、その蓋片４はその基部に沿って点線状の切り取り線６が付されていることで切り離し可能となっている。また、コンパクトディスク収納部２の一方の側位置には一対のファイル用係止穴１０が設けられた係止部１２が一体に備えられ、その係止部１２はその基部に沿って点線状の切り取り線１５が付されていることで切り離し可能となっている。
【００１１】  コンパクトディスク収納部２の表面部１６には窓孔１８が形成され、その窓孔１８は表面部１６の内面に貼られた透明フィルム２０により内面側から覆われている。裏面部１４の上部には折り曲げられ閉じ状態とされた際の蓋片４の端部が係止される係止切り込み２２が形成されている。
【００１２】  図３はコンパクトディスク収納体１の実施形態の内面側展開図で、２５はコンパクトディスク収納体１を制作するための紙基材であり、表面部１６の裏面にそのほぼ全域にわたって透明フィルム２０が貼り付けられている。また、表面部１６の側部と下部には貼り代２７、２８が一体に設けられ、さらに上部に蓋片４が一体に設けられている。裏面部１４の側端部に係止部１２が一体に設けられている。
【００１３】  上記紙基材２５において、貼り代２７が表面部１６内面側に折り畳まれた状態においてその上部に裏面部１４が折り重ねられて貼り付けられ、次に、その裏面部１４上に貼り代２８が折り畳まれて貼り付けられることでコンパクトディスク収納体１は完成される。
【００１４】  上記コンパクトディスク収納体１はその出し入れ開口３を通して収納部２へコンパクトディスクの出し入れが行え、その収納時には蓋片４を閉じることができる。これによりコンパクトディスクが安定収納されるとともに、収納部２内への埃等の侵入が防がれる。また、コンパクトディスク収納部２の表面部１６に窓孔１８が設けられていることで収納されるコンパクトディスクの曲名等が外部より認識できるとともに、意匠性も高められている。透明フィルム２０が表面部１６の裏面のほぼ全域にわたって貼り付けられていることで、コンパクトディスクが透明フィルム２０の縁部に当たることがなくその出し入れがスムーズに行える。さらに、透明フィルム２０により窓孔１８の周縁部が補強されてその部分の破損が回避される。
【００１５】  ファイルノートには係止部１２の係止孔１０に係止ピンを挿通することで納めることができ、重ね状態として多数毎のコンパクトディスクが納められる。その際、蓋片４を不要とする場合は切り取り線６に沿って切り離す。逆に、ファイルノートに納めず係止部１２を不要とする場合は切り取り線１５に沿って切り離す。このように蓋片４と係止部１２とを必要な場合にのみ使用できることで、それらが邪魔となることがなく、また、見栄えも良い状態においての使用が可能となる。
【符号の説明】
【００１６】１  コンパクトディスク収納体
２  コンパクトディスク収納部
３  出し入れ開口
４  蓋片
６  切り取り線
１０  ファイル用係止穴
１２  係止部
１５  切り取り線
【図１】
0003166029.tif 000003
【図２】
0003166029.tif 000004
【図３】
0003166029.tif 000005